【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
撮像手段により撮像される画像から検出対象を検出する処理を実行する検出手段と、
前記検出手段により前記検出対象が検出されたか否かを判別する判別手段と、
前記検出手段により前記検出対象を検出する処理を実行している間は前記撮像手段の撮像状態を第１の状態に変化させ、前記判別手段により前記検出対象が検出されたと判別された場合に当該撮像状態を前記第１の状態とは異なる第２の状態に変化させる制御を行う撮像制御手段と、
を備えることを特徴とする撮像装置。
【請求項２】
前記撮像制御手段は、前記検出手段により前記検出対象を検出する処理を実行している間は前記撮像手段の撮像状態を前記第２の状態から前記第１の状態に変化させ、前記判別手段により前記検出対象が検出されたと判別された場合に当該撮像状態を変化させる前の前記第２の状態に戻す制御を行うことを特徴とする請求項１に記載の撮像装置。
【請求項３】
前記撮像手段により撮像される画像の輝度値を算出する算出手段を、更に備え、
前記撮像制御手段は、
前記算出手段により算出された輝度値が所定値未満の場合、前記検出手段により前記検出対象を検出する処理を実行している間は前記撮像手段により撮像される画像の画質を変化させることにより当該撮像手段の撮像状態を前記第１の状態に変化させる制御を行うことを特徴とする請求項１又は２に記載の撮像装置。
【請求項４】
前記撮像制御手段は、
前記撮像手段により撮像される画像の輝度値を上げることにより当該画像の画質を変化させることを特徴とする請求項３に記載の撮像装置。
【請求項５】
撮影時に補助光を発光する補助光発光手段を、更に備え、
前記輝度値を上げる方法には、
前記補助光発光手段を発光させる方法と、前記撮像手段により画像を撮像する際の感度を上げる方法のうちの少なくとも何れか一方が含まれることを特徴とする請求項４に記載の撮像装置。
【請求項６】
前記撮像制御手段は、
前記算出手段により算出された輝度値に応じた方法で前記撮像手段により撮像される画像の輝度値を上げることを特徴とする請求項５に記載の撮像装置。
【請求項７】
前記撮像制御手段は、
前記輝度値が高いほど消費電力の低い方法で前記撮像手段により撮像される画像の輝度値を上げることを特徴とする請求項６に記載の撮像装置。
【請求項８】
前記撮像制御手段は、
前記撮像手段により撮像される画像の輝度成分或いは色成分を変化させることにより当該画像の画質を変化させることを特徴とする請求項３に記載の撮像装置。
【請求項９】
前記撮像制御手段は、
所定の被写体に固有の輝度成分或いは色成分を強調するように、前記撮像手段により撮像される画像の輝度成分或いは色成分を変化させることを特徴とする請求項８に記載の撮像装置。
【請求項１０】
前記撮像制御手段は、
コントラスト調整、レベル補正、或いはガンマ補正の何れかを行うことにより、前記撮像手段により撮像される画像の輝度成分或いは色成分を変化させることを特徴とする請求項８又は９に記載の撮像装置。
【請求項１１】
前記撮像手段により撮像される画像の撮影処理を実行する撮影処理手段を、更に備え、
前記撮像制御手段は、前記判別手段による判別結果に応じて前記撮影処理手段を制御するとともに、前記撮像手段の撮像状態を制御することを特徴とする請求項１〜１０の何れか一項に記載の撮像装置。
【請求項１２】
前記撮像制御手段は、前記判別手段により前記検出対象が検出されたと判別された場合に、前記撮影処理手段による撮影処理を実行させる前に前記撮像状態を前記第１の状態から前記第２の状態に変化させる制御を行う前記撮影処理手段に撮影処理を実行させる制御を行うことを特徴とする請求項１１に記載の撮像装置。
【請求項１３】
前記撮像制御手段は、前記撮像状態を、前記検出手段により前記検出対象を検出する処理を実行する前において、前記撮影処理手段による撮影処理を実行するための準備処理を実行し、前記判別手段により前記検出対象が検出されたと判別された後に、前記準備処理による撮像状態で、前記撮影処理手段による撮影処理を実行させる制御を行うことを特徴とする請求項１２に記載の撮像装置。
【請求項１４】
前記検出手段は、前記検出対象として、被写体の動作を検出し、
前記判別手段は、前記検出手段により前記被写体の動作が検出されたか否かを判別し、
前記撮像制御手段は、前記検出手段により前記被写体の動作を検出する処理を実行している間は前記撮像手段の撮像状態を前記第１の状態に変化させ、前記判別手段により前記被写体の動作が検出されたと判別された場合に当該撮像状態を前記第２の状態に変化させる制御を行うことを特徴とする請求項１〜１０の何れか一項に記載の撮像装置。
【請求項１５】
前記判別手段は、前記被写体の動作として、第１の動作と、当該第１の動作とは異なる第２の動作のうち何れか一方の動作が検出されたか否かを判別し、
前記撮像制御手段は、前記検出手段により前記被写体の動作を検出する処理を実行している間は前記撮像手段の撮像状態を前記第１の状態に変化させ、前記判別手段により前記第１の動作が検出されたと判別された場合に当該撮像状態を前記第２の状態に変化させる制御を行う一方、前記第２の動作が検出されたと判別された場合に当該撮像状態を前記第１の状態に変化させる制御を継続して行うことを特徴とする請求項１４に記載の撮像装置。
【請求項１６】
前記撮像手段により撮像される画像の撮影処理動作を実行する処理、或いは前記検出手段による検出を終了する処理を行う撮影処理手段を、更に備え、
前記第１の動作は、前記撮像手段により撮像される画像の撮影処理動作の実行を指示する動作、或いは前記検出手段による検出の終了を指示する動作であり、
前記判別手段により前記第１の動作が検出されたと判別された場合に、前記撮影処理手段を制御するとともに、前記撮像手段の撮像状態を制御することを特徴とする請求項１５に記載の撮像装置。
【請求項１７】
前記撮像制御手段は、
前記撮影処理手段による撮影処理を実行させる前に、前記撮像状態を前記第２の状態から前記第１の状態に変化させる制御を行うことを特徴とする請求項１６に記載の撮像装置。
【請求項１８】
前記第２の動作は、前記撮像手段のズーム調整、フォーカス調整、絞り調整、或いはホワイトバランス調整のうちの少なくとも何れかを指示する動作であり、
前記撮像制御手段は、
前記判別手段により前記第２の動作が検出されたと判別された場合、前記撮影処理手段に、当該第２の動作により指示された調整処理を行わせる制御を行うことを特徴とする請求項１５〜１７の何れか一項に記載の撮像装置。
【請求項１９】
表示手段により表示される被写体の画像を当該被写体自身に視認させることが可能な所定の状態であるか否かを判定する状態判定手段を、更に備え、
前記検出手段は、
前記状態判定手段により所定の状態であると判定された場合に、前記撮像手段により撮像される画像から検出対象を検出する処理を実行することを特徴とする請求項１〜１８の何れか一項に記載の撮像装置。
【請求項２０】
撮像手段により撮像される画像から検出対象を検出する処理を実行する処理と、
前記検出対象が検出されたか否かを判別する処理と、
前記検出対象を検出する処理を実行している間は前記撮像手段の撮像状態を第１の状態に変化させ、前記検出対象が検出されたと判別された場合に当該撮像状態を前記第１の状態とは異なる第２の状態に変化させる制御を行う処理と、
を含むことを特徴とする撮像制御方法。
【請求項２１】
コンピュータに、
撮像手段により撮像される画像から検出対象を検出する処理を実行する検出機能、
前記検出機能により前記検出対象が検出されたか否かを判別する判別機能、
前記検出機能により前記検出対象を検出する処理を実行している間は前記撮像手段の撮像状態を第１の状態に変化させ、前記判別機能により前記検出対象が検出されたと判別された場合に当該撮像状態を前記第１の状態とは異なる第２の状態に変化させる制御を行う撮像制御機能、
を実現させることを特徴とするプログラム。